【手続補正書】
【提出日】平成16年2月17日(2004.2.17)
【手続補正１】
【補正対象書類名】明細書
【補正対象項目名】０００３
【補正方法】変更
【補正の内容】
【０００３】
以下、図６を用いて、従来の基準電圧発生回路について説明する。図６は、従来の基準電圧発生回路の構成を示す回路図である。
図６に示されるように、従来の基準電圧発生回路は、ソース電極が電源電圧ＡＶＤＤに接続され、カスコード接続になっているＰＭＯＳトランジスタ５１１，５１２と、同様にソース電極が電源電圧ＡＶＤＤに接続され、カスコード接続されているＰＭＯＳトランジスタ５１４，５１５と、基準電圧発生回路をパワーダウンさせるためのＰＭＯＳトランジスタ５１７と、そのＰＭＯＳトランジスタ５１７のゲート電極に接続されている、通常動作モードとパワーダウンモードとを制御するデジタル値の入力端子であるパワーダウン制御端子ＮＰＯＷＤと、接続されている各ＰＭＯＳトランジスタのゲート電圧を安定化するための容量素子Ｃ５１と、その一端が接地されている電流源素子５１３,５１６と、から構成されている。そして、上記ＰＭＯＳトランジスタ５１１，５１２のゲート電極それぞれは、ＰＭＯＳトランジスタ５１４，５１５のゲート電極それぞれと接続されて、カレントミラーの構成になっており、更に、ＰＭＯＳトランジスタ５１１のゲート電極とＰＭＯＳトランジスタ５１２のドレイン電極とが接続されている。また、上記ＰＭＯＳトランジスタ５１２のドレイン電極は、片端が接地された電流源素子５１３に接続され、ＰＭＯＳトランジスタ５１５のドレイン電極は、同様に一端が接地された電流源素子５１６に接続されている。更に、ＰＭＯＳトランジスタ５１１及びＰＭＯＳトランジスタ５１４のゲート電極間と、電源電圧ＡＶＤＤとの間には、容量素子Ｃ５１が接続されており、また、上記ＰＭＯＳトランジスタ５１７は、その一端が電源電圧ＡＶＤＤに、もう一方端がＰＭＯＳトランジスタ５１１及びＰＭＯＳトランジスタ５１４のゲート電極間に接続されている。なお、上記ＰＭＯＳトランジスタ５１７は、パワーダウン制御端子ＮＰＯＷＤから入力されるデジタル値が“Ｈ”の時は遮断状態になり、そのデジタル値が“Ｌ”の時は導通状態になるものである。


【手続補正２】
【補正対象書類名】明細書
【補正対象項目名】０００６
【補正方法】変更
【補正の内容】
【０００６】
パワーダウンモード時に、パワーダウン制御端子ＮＰＯＷＤにデジタル値“Ｌ”が入力されると、これにより、上記ＰＭＯＳトランジスタ５１７は導通状態となって電流が流れるため、ＰＭＯＳトランジスタ５１１及びＰＭＯＳトランジスタ５１４のゲート電圧である、基準電圧ＶＢ５１が上昇し、各ＰＭＯＳトランジスタ５１１，５１４のゲート、ソース間電圧が小さくなり、ＰＭＯＳトランジスタ５１１，５１４は遮断状態になる。この結果、基準電圧発生回路は基準電圧を生成しなくなり、全ての電流が停止する。


【手続補正３】
【補正対象書類名】明細書
【補正対象項目名】００１８
【補正方法】変更
【補正の内容】
【００１８】
【発明の実施の形態】
以下、本発明の実施の形態について図面を用いて説明する。
（実施の形態１）
本実施の形態１においては、基準電圧を発生する基準電圧発生端子の電位を、通常動作モードに対応する第１の電位と、パワーダウンモードに対応する第２の電位とに、容量素子に蓄えられた電荷を充放電することによって切り替える第１の切替手段に加え、外部からの制御信号でその開閉が制御されるＰＭＯＳトランジスタであるスイッチ素子により、上記第１の切替手段における容量素子の充放電とは独立して、上記基準電圧発生端子の電位を切り替え可能な第２の切替手段を設けるようにしたものである。


【手続補正４】
【補正対象書類名】明細書
【補正対象項目名】００２６
【補正方法】変更
【補正の内容】
【００２６】
そして、上記通常動作モードから、パワーダウンモードにする場合、本実施の形態１においては、第２のパワーダウン制御端子ＮＰＯＷＤ１２に入力されるデジタル値のみが、“Ｈ”から“Ｌ”に切り替えられる。これにより、ＰＭＯＳトランジスタ１２１，１２２は導通状態となって、電流が流れるため、ＰＭＯＳトランジスタ１１１のゲート電圧、及びＰＭＯＳトランジスタ１１８のゲート電圧が電源電圧ＡＶＤＤ近辺（第２の電位）まで上昇し、更に、ＰＭＯＳトランジスタ１１２のドレイン電圧、及びＰＭＯＳトランジスタ１１５のゲート電圧も同様に電源電圧ＡＶＤＤ近辺まで上昇する。


【手続補正５】
【補正対象書類名】明細書
【補正対象項目名】００２７
【補正方法】変更
【補正の内容】
【００２７】
この結果として、ＰＭＯＳトランジスタ１１１の経路、つまり、ＰＭＯＳトランジスタ１１１，１１２，電流源素子１１３、及びＰＭＯＳトランジスタ１１８の経路、つまりＰＭＯＳトランジスタ１１８，１１９，電流源素子１２３に電流が流れなくなるため、本基準電圧発生回路の消費電力が削減される。


【手続補正６】
【補正対象書類名】明細書
【補正対象項目名】００３０
【補正方法】変更
【補正の内容】
【００３０】
以上のことにより、本実施の形態１によれば、基準電圧発生回路内に、容量素子Ｃ１１に蓄えられた電荷の放電により基準電圧ＶＢ１１，１２の電位を切替可能な第１の切替手段とは独立して、第２のパワーダウン制御端子ＮＰＯＷＤ１２に入力されるデジタル値に応じて制御されるスイッチ素子の開閉により基準電圧ＶＢ１１，１２の電位を切替可能な第２の切替手段を設け、上記第２のパワーダウン制御端子ＮＰＯＷＤ１２に加えるデジタル値のみの切替えにより、上記基準電圧電位ＶＢ１１，１２を切替え制御するようにしたので、パワーダウンモードを解除する際、容量素子Ｃ１１に蓄えられた電荷を放電しなくても、基準電圧電位ＶＢ１１，１２を切り替えることが可能となり、結果として、パワーダウンモードから通常動作モードへの復帰時間が短い基準電圧発生回路を得ることができる。


【手続補正７】
【補正対象書類名】明細書
【補正対象項目名】００３３
【補正方法】変更
【補正の内容】
【００３３】
（実施の形態２）
本実施の形態２は、上記実施の形態１と同様、基準電圧発生端子の電位を容量素子に蓄えられた電荷の充放電により切り替える第１の切替手段に加え、外部からの制御信号でその開閉が制御されるＰＭＯＳトランジスタであるスイッチ素子により、上記第１の切替手段における容量素子に蓄えられた電荷の充放電とは独立して、上記基準電圧電位を切り替え可能な第２の切替手段を設けるようにしたものである。


【手続補正８】
【補正対象書類名】明細書
【補正対象項目名】００３８
【補正方法】変更
【補正の内容】
【００３８】
また、容量素子Ｃ２１は、ＰＭＯＳトランジスタ２１１，２１４のゲート電極間と、電源電圧ＡＶＤＤとの間に接続されており、その容量素子Ｃ２１に接続されている各ＰＭＯＳトランジスタのゲート電圧を安定化する。


【手続補正９】
【補正対象書類名】明細書
【補正対象項目名】００４０
【補正方法】変更
【補正の内容】
【００４０】
もう一方の第２のパワーダウン制御端子ＮＰＯＷＤ２２は、ＰＭＯＳトラジスタ２２８，２３０のゲート電極に接続され、該ＰＭＯＳトラジスタ２２８，２３０それぞれのソース電極は、電源電圧ＡＶＤＤに接続され、そのＰＭＯＳトラジスタ２２８のドレイン電極は、ＰＭＯＳトランジスタ２２３のゲート電極に、そのＰＭＯＳトランジスタ２３０のドレイン電極は、ＰＭＯＳトランジスタ２２０及びＰＭＯＳトランジスタ２２４のゲート電極に接続されている。なお、上記第１，第２のパワーダウン制御端子ＮＰＯＷＤ２１，ＮＰＯＷＤ２２に接続されているＰＭＯＳトランジスタ２２７，２２８，２２９は、従来と同様、上記第１，第２のパワーダウン制御端子ＮＰＯＷＤ２１，ＮＰＯＷＤ２２から入力されるデジタル値が“Ｈ”の時は遮断状態になり、そのデジタル値が“Ｌ”の時は導通状態になるものである。


【手続補正１０】
【補正対象書類名】明細書
【補正対象項目名】００４２
【補正方法】変更
【補正の内容】
【００４２】
そして、上記通常動作モードから、パワーダウンモードにする場合、本実施の形態２においては、第２のパワーダウンモード制御端子ＮＰＯＷＤ２２に入力されるデジタル値のみを“Ｌ”に切替える。これにより、ＰＭＯＳトランジスタ２２８，２２９は導通状態となり電流が流れるため、基準電圧ＶＢ２１，ＶＢ２２は、該基準電圧ＶＢが接続される回路に電流が流れないような電圧、ここでは、電源電圧ＡＶＤＤ近辺（第２の電位）まで上昇する。


【手続補正１１】
【補正対象書類名】明細書
【補正対象項目名】００４３
【補正方法】変更
【補正の内容】
【００４３】
そして、ＰＭＯＳトランジスタ２２０の経路、つまり、ＰＭＯＳトランジスタ２２０，２２１，ＮＭＯＳトランジスタ２２２、及びＰＭＯＳトランジスタ２２４の経路、つまりＰＭＯＳトランジスタ２２４，２２５，電流源素子２３１に電流が流れなくなるため、本基準電圧発生回路の消費電力が削減される。


【手続補正１２】
【補正対象書類名】明細書
【補正対象項目名】００４４
【補正方法】変更
【補正の内容】
【００４４】
そして、上記パワーダウンモードが解除される際には、第２のパワーダウン制御端子ＮＰＯＷＤ２２に入力されるデジタル値が、“Ｌ”値から“Ｈ”値に切り替えられる。これにより、ＰＭＯＳトランジスタ２２８，２３０は非導通状態となるため、基準電圧ＶＢ２１，ＶＢ２２を、正常な電圧に復帰させようと動作する。


【手続補正１３】
【補正対象書類名】明細書
【補正対象項目名】００４６
【補正方法】変更
【補正の内容】
【００４６】
以上のことにより、本実施の形態２によれば、基準電圧発生回路内に、容量素子Ｃ２１に蓄えられた電荷の放電により基準電圧ＶＢ２１，２２の電位を切替可能な第１の切替手段とは独立して、第２のパワーダウン制御端子ＮＰＯＷＤ２２に入力されるデジタル値に応じて制御されるスイッチ素子の開閉により基準電圧ＶＢ２１，２２の電位を切替可能な第２の切替手段を設け、上記第２のパワーダウン制御端子ＮＰＯＷＤ２２に加えるデジタル値のみの切替えにより、上記基準電圧電位ＶＢ２１，２２を切替え制御するようにしたので、パワーダウンモードを解除する際、容量素子Ｃ２１に蓄えられた電荷を放電しなくてもよくなり、結果として、パワーダウンモードから通常動作モードへの復帰時間が短い基準電圧発生回路を得ることができる。


【手続補正１４】
【補正対象書類名】明細書
【補正対象項目名】００５４
【補正方法】変更
【補正の内容】
【００５４】
以下、このように構成された、本実施の形態３の基準電圧発生回路において、通常動作モードからパワーダウンモードにし、さらにパワーダウンモードを解除して通常動作モードにする場合の動作について説明する。
まず、通常動作モードの場合、第１，第２のパワーダウンモード制御端子ＮＰＯＷＤ４１,ＮＰＯＷＤ４２にはデジタル値“Ｈ”が入力され、これにより、ＰＭＯＳトランジスタ４１７が非導通状態、また、スイッチ素子４２６，４２７が導通となるため、ＰＭＯＳトランジスタ４１１及びＰＭＯＳトランジスタ４１４のゲート電圧ＶＢＡと、ＰＭＯＳトランジスタ４１２及びＰＭＯＳトランジスタ４１５のゲート電圧ＶＢＢが、基準電圧ＶＢ４１，ＶＢ４２として出力される。


【手続補正１５】
【補正対象書類名】明細書
【補正対象項目名】００５５
【補正方法】変更
【補正の内容】
【００５５】
そして、上記通常動作モードから、パワーダウンモードにする場合、本実施の形態３においては、第２のパワーダウン制御端子ＮＰＯＷＤ４２に入力されるデジタル値のみを“Ｌ”に切替える。これにより、スイッチ素子４２６，４２７は、非導通となり、ＰＭＯＳトランジスタ４１８は、導通状態となり電流が流れるため、基準電圧ＶＢ４１，４２は、該基準電圧ＶＢが接続される回路に電流が流れないような電圧、ここでは、電源電圧ＡＶＤＤ近辺（第２の電位）まで上昇する。


【手続補正１６】
【補正対象書類名】明細書
【補正対象項目名】００５７
【補正方法】変更
【補正の内容】
【００５７】
以上のことにより、本実施の形態３によれば、基準電圧発生回路内に、容量素子Ｃ４１に蓄えられた電荷の放電により基準電圧ＶＢ４１，４２の電位を切替可能な第１の切替手段とは独立して、第２のパワーダウン制御端子ＮＰＯＷＤ４２に入力されるデジタル値に応じて制御される第１，第２のスイッチ素子の開閉により基準電圧ＶＢ４１，４２の電位を切替可能な第２の切替手段を設け、上記第２のパワーダウン制御端子ＮＰＯＷＤ４２に加えるデジタル値のみの切替えにより、上記基準電圧電位ＶＢ４１，４２を切替え制御するようにしたので、パワーダウンモードを解除する際、容量素子Ｃ４１に蓄えられた電荷を放電しなくてもよくなり、結果として、パワーダウンモードから通常動作モードへの復帰時間が短い基準電圧発生回路を得ることができる。